(57)【要約】【課題】  周囲に騒音を放散することなく迫力のある臨場感を得る。【解決手段】  聴者Ｍの座るシート３には、着座した聴者の後頭部Ｍ１に接する伝達面５３ａ、背中部Ｍ２に接する伝達面５２ａ、腰背部Ｍ３に接する伝達面５１ａおよび脚背部Ｍ４に接する伝達面５４ａが形成されて、その内方にスピーカ４１Ａ，４１Ｂ，４２Ａ，４２Ｂ，４３Ａ，４３Ｂ，４４Ａ，４４Ｂが埋設されている。シート３は各伝達面５１ａ〜５４ａ毎に分割されており、これらシート分割部５１，５２，５３，５４を、着座した聴者Ｍの体格に応じて調整移動可能としてある。各スピーカから出力された音声振動は、伝達面を経てこれに接する身体の一部に直接伝播する。【選択図】        図３
2006166281.tif 000002
【特許請求の範囲】
【請求項１】
聴者の身体の一部が接する伝達面の内方に第１スピーカを埋設して、第１スピーカから出力された音声振動を、前記伝達面を経てこれに接する上記身体の一部に直接伝播させるようにしたことを特徴とする音響装置。  
【請求項２】
上記聴者の座るシートに、着座した上記聴者の後頭部に接する伝達面、背中部に接する伝達面、腰背部に接する伝達面および脚背部に接する伝達面の少なくとも一つを形成して、これら伝達面の内方に前記第１スピーカを設けた請求項１に記載の音響装置。
【請求項３】
前記シートを、前記各伝達面毎に分割して、その内方にそれぞれ前記第１スピーカを設け、これらシート分割部を、着座した上記聴者の体格に応じて調整移動可能とした請求項２に記載の音響伝達装置。
【請求項４】
軟質クッション材の表面側を前記伝達面とし、当該軟質クッション材の一部に硬質クッション材を配設してその背後に前記第１スピーカを設けた請求項１ないし３のいずれかに記載の音響装置。
【請求項５】
空中を伝播させて上記聴者の耳に音声を到達させる第２スピーカをさらに設けた請求項１ないし４のいずれかに記載の音響装置。
【発明の詳細な説明】
【技術分野】
【０００１】
本発明は音響装置に関し、特に、周囲に騒音を放散することなく迫力のある臨場感を得ることができる音響装置に関する。
【背景技術】
【０００２】
この種の音響装置として例えば特許文献１に示したものが知られている。本装置はシートのヘッドレスト部内にスピーカを埋設し、スピーカから空中に発せられる音声の音像を、シートに着座した聴者の前方所定位置に定位させるようにして、周囲に騒音を放散することなく高品位の音声を得ることができるようにしたものである。
【特許文献１】特開２００３−９２７９９
【発明の開示】
【発明が解決しようとする課題】
【０００３】
しかし、上記従来の音響装置でも、未だ高い臨場感を得るには不十分であるという問題があった。
【０００４】
そこで本発明はこのような課題を解決するもので、周囲に騒音を放散することなく迫力のある臨場感を得ることができる音響装置を提供することを目的とする。
【課題を解決するための手段】
【０００５】
上記目的を達成するために本第１発明は、聴者（Ｍ）の身体の一部（Ｍ１，Ｍ２，Ｍ３，Ｍ４）が接する伝達面（５１ａ，５２ａ，５３ａ，５４ａ）の内方に第１スピーカ（４１Ａ，４１Ｂ，４２Ａ，４２Ｂ，４３Ａ，４３Ｂ，４４Ａ，４４Ｂ）を埋設して、第１スピーカから出力された音声振動を、伝達面を経てこれに接する身体の一部に直接伝播させるようにしたものである。
【０００６】
本第１発明においては、第１スピーカから出力される音声振動は、空中を伝播して聴者の耳に達するのではなく、聴者の身体の一部に接する伝達面を経て直接聴者の身体に伝播されるから、第１スピーカの出力を、周囲の騒音にならない十分小さなものとしても、迫力のある高い臨場感を得ることができる。
【０００７】
本第２発明では、上記聴者（Ｍ）の座るシート（３）に、着座した上記聴者の後頭部（Ｍ１）に接する伝達面（５３ａ）、背中部（Ｍ２）に接する伝達面（５２ａ）、腰背部（Ｍ３）に接する伝達面（５１ａ）および脚背部（Ｍ４）に接する伝達面（５４ａ）の少なくとも一つを形成して、これら伝達面（５１ａ〜５４ａ）の内方に第１スピーカ（４１Ａ〜４４Ｂ）を設ける。
【０００８】
本第２発明においては、聴者の後頭部、背中部、腰背部、脚背部の少なくとも一つに、伝達面を経て第１スピーカの音声振動が直接伝達されて、迫力のある高い臨場感が得られる。
【０００９】
本第３発明では、上記シート（３）を上記各伝達面（５１ａ〜５４ａ）毎に分割してその内方にそれぞれ第１スピーカ（４１Ａ〜４４Ｂ）を設け、これらシート分割部（５１，５２，５３，５４）を、着座した上記聴者（Ｍ）の体格に応じて調整移動可能とする。本第３発明においては、各シート分割部を、着座した聴者の後頭部、背中部、腰背部、脚背部の少なくとも一つに正確に位置決めして当接させることができるから、これら後頭部等へ第１スピーカからの音声振動を効率的に伝達することができる。
【００１０】
本第４発明では、軟質クッション材（６６）の表面側を上記伝達面（５３ａ）とし、当該軟質クッション材（６６）の一部に硬質クッション材（６７）を配設してその背後に第１スピーカ（４１Ａ）を設ける。本第４発明においては、軟質クッション材によって伝達面が聴者の身体にソフトに接するとともに、硬質クッション材の存在によって第１スピーカからの音声振動が効率的に上記身体に伝えられる。
【００１１】
本第５発明では、空中を伝播させて上記聴者（Ｍ）の耳に音声を到達させる第２スピーカ（２１Ａ，２１Ｂ，２２Ａ，２２Ｂ，２３Ａ，２３Ｂ）をさらに設ける。本第５発明においては、第２スピーカによって聴者の耳に澄んだ音声が入力されるから、第１スピーカによる音声振動入力と相俟って、繊細な音による迫力のある臨場感を得ることができる。
【００１２】
なお、上記カッコ内の符号は、後述する実施形態に記載の具体的手段との対応関係を示すものである。
【発明の効果】
【００１３】
以上のように、本発明の音響装置によれば、周囲に騒音を放散することなく迫力のある臨場感を得ることができる。
【発明を実施するための最良の形態】
【００１４】
図１には本発明の音響装置を備えたホームシアターシステムを示す。図において、中央には映像装置１が設けられ、その左右のスピーカ端子１１，１２にそれぞれ、低音用、中音用、および高音用の各スピーカ２１Ａ，２１Ｂ：２２Ａ，２２Ｂ：２３Ａ，２３Ｂが接続されている。これら各スピーカ２１Ａ〜２３Ｂは映像装置１の左右位置で当該装置１と共に、後述するシート３に向けて設けられている。音声増幅器１３が設けられて、その入力端子１３ａに左右の各スピーカ端子１１，１２からの信号線が接続されている。シート３には以下に説明するように、左右一対の低音用、中音用、および高音用の各スピーカ４１Ａ，４１Ｂ：４２Ａ，４２Ｂ：４３Ａ，４３Ｂ：４４Ａ，４４Ｂが設けられており、これらスピーカ４１Ａ〜４４Ｂはそれぞれ信号線によって音声増幅器１３の出力端子１３ｂに接続されている。
【００１５】
図２にはシート３の正面図を、図３にはその側面図を示す。シート３は左右前後の脚体３１と、これら脚体３１によって支持された座板部材３２を備えている。なお、座板部材３２には適度なクッション性が付与されている。座板部材３２の後端部上面には左右位置に平行にスライド棒３３が立設されており、これらスライド棒３３の間に、下方から、正面視で長方形状のウエスト部材５１、背中部材５２、ヘッドレスト部材５３が横設されている。これらウエスト部材５１、背中部材５２、ヘッドレスト部材５３はラチェット機構によって聴者（視聴者）Ｍ（図３）の身体寸法に応じて上下に適宜範囲で調整移動させることができる。そして、前面が傾斜面となったウエスト部材５１には、内部の左右位置に低音用スピーカ４３Ａ，４３Ｂが埋設されている。背中部材５２には内部の左右位置に中音用スピーカ４２Ａ，４２Ｂが埋設され、ヘッドレスト部材５３には内部の左右位置に高音用スピーカ４１Ａ，４１Ｂが埋設されている。
【００１６】
座板部材３２の前端部下面には左右位置にスライド棒３４が立設されており、これらスライド棒３４の間に、正面視で長方形状のレッグ部材５４が横設されている。レッグ部材５４はラチェット機構によって聴者Ｍの身体寸法に応じて上下に適宜範囲で調整移動させることができるようになっており、前後面が傾斜面となったレッグ部材５４には、内部の左右位置に中音用スピーカ４４Ａ，４４Ｂが埋設されている。このようなシート３に聴者Ｍが着座すると、図３に示すように、聴者Ｍの後頭部Ｍ１がヘッドレスト部材５３の伝達面たる前面５３ａに、聴者Ｍの背中部Ｍ２が背中部材５２の伝達面たる前面５２ａに、聴者Ｍの腰背部Ｍ３がウエスト部材５１の伝達面たる前面５１ａに、視聴者の脚背部Ｍ４がレッグ部材５４の伝達面たる前面５４ａに、それぞれ当接する。
【００１７】
この状態で、ヘッドレスト部材５３内の左右の高音スピーカ４１Ａ，４１Ｂはそれぞれ聴者Ｍの左右の耳近傍の斜め上方に位置し、背中部材５２内の左右の中音スピーカ４２Ａ，４２Ｂはそれぞれ視聴者の左右の肩甲骨に対応して位置している。また、ウエスト部材５１内の左右の低音スピーカ４３Ａ，４３Ｂはそれぞれ聴者Ｍの腰背面の左右部に、レッグ部材５４内の左右の中音スピーカ４４Ａ，４４Ｂはそれぞれ聴者Ｍの左右のふくらはぎに対応して位置している。なお、スライド棒３３，３４を前後方向へ移動調整可能とすれば、さらに聴者Ｍの身体寸法への適応性が向上する。また、スライド棒３３は前後方向へ傾動可能なリクライニング構造とすることができる。
【００１８】
図４には、ヘッドレスト部材５３内の高音用スピーカ４１Ａの埋設構造を示す。なお、他の高音用スピーカ４１Ｂや、背中部材５２、ウエスト部材５１、レッグ部材５４内に設けた各スピーカ４２Ａ〜４４Ｂの埋設構造もこれと同一である。図４において、ヘッドレスト部材５３の背面を構成する腰板６１には開口６１１が設けられ、当該開口６１１内に筒状の防振ゴム体６２が装着されて、防振ゴム体６２内にスピーカ４１Ａの駆動コイル部４１１が挿入固定されている。駆動コイル部４１１からは、腰板６１の背面に接合された布又は革の表皮材６３を貫通して信号線１４が外方へ延びている。スピーカ４１Ａのコーン部４１２は、腰板６１の前面に配置された吸音材６４の開口６４１内に位置している。吸音材６４の前面には上記開口６４１を覆う大きさの平板状の編込みスプリング材６５が配置されており、当該編込みスプリング材６５にはコーン部４１２の開口に対応する領域内に複数の貫通孔６５１が形成されている。なお、編込みスプリング材６５は後述する軟質クッション材がスピーカ４１Ａのコーン部４１２内に侵入するのを防止するためのもので、ベッドやイスの背もたれ部等に常用されている細い鋼線を平板状に編んだスプリングである。
【００１９】
吸音材６４の前方には上記編込みスプリング材６５を挟むようにして一定厚さで軟質クッション材６６が設けられており、その前面は表皮材６３で覆われている。クッション材６６内で、編込みスプリング６５を介してコーン部４１２に対向する部分には、音伝達材として、一定厚で硬質クッション材６７が設けてある。クッション材６７は一部が編込みスプリング材６５の貫通孔６５１内に進入させてある。
【００２０】
このような構造の音響装置を使用したホームシアターシステムにおいて、映像装置１から出力される音声信号に基づいて、各スピーカ２１Ａ〜２３Ｂから、周囲の騒音とならない程度の大きさで鮮明な音質の音声がシート３に着座した視聴者Ｍに向けて送出される。このとき同時に、シート３のヘッドレスト部材５３、背中部材５２、ウエスト部材５１、およびレッグ部材５４の各スピーカ４１Ａ〜４４Ｂから発せられた音声はそれぞれ、クッション材６６，６７と表皮６３を介して直接、視聴者Ｍの後頭部Ｍ１の左右位置、背中部Ｍ２の左右位置、腰背部Ｍ３の左右位置、および左右の脚背部Ｍ４に伝達する。これにより、視聴者Ｍは、空中を伝播してスピーカ２１Ａ〜２３Ｂから両耳に到達する音声と同時に、各スピーカ４１Ａ〜４４Ｂから出力されて伝達面たる各前面５１ａ〜５４ａを経て直接身体各部Ｍ１〜Ｍ４に伝達される音声振動を受けて、音源が視聴者Ｍを中心に通過する状況や、遠くから近づき、あるいは遠ざかる状況を、高い臨場感の下に全身で体感することができる。この際、各スピーカ４１Ａ〜４４Ｂの音声は空中を伝播することなく固体を介して視聴者に伝えられるから、その音声出力は周囲の騒音とならない十分小さなものとすることができる。なお、スピーカ２１Ａ〜２３Ｂは必ずしも必要なものではない。また、スピーカ４１Ａ〜４４Ｂの低音、中音、高音の種別および設置数や、シート３のウエスト部材５１、背中部材５２、ヘッドレスト部材５３、レッグ部材５４への分割等はあくまで一例である。
【図面の簡単な説明】
【００２１】
【図１】本発明の音響装置を備えたホームシアターシステムの構成を示す図である。
【図２】シートの一例を示す正面図である。
【図３】シートの一例を示す側面図である。
【図４】スピーカ設置部の構造を示す断面図である。
【符号の説明】
【００２２】
２１Ａ，２１Ｂ，２２Ａ，２２Ｂ，２３Ａ，２３Ｂ...スピーカ、３...シート、４１Ａ，４１Ｂ，４２Ａ，４２Ｂ，４３Ａ，４３Ｂ，４４Ａ，４４Ｂ...スピーカ、５１...ウエスト部材、５２...背中部材、５３...ヘッドレスト部材、５４...レッグ部材、５１ａ，５２ａ，５３ａ，５４ａ...前面、６６...軟質クッション材、６７...硬質クッション材、Ｍ...聴者、Ｍ１...後頭部、Ｍ２...背中部、Ｍ３...腰背部、Ｍ４...脚背部。
【図１】
2006166281.tif 000003
【図２】
2006166281.tif 000004
【図３】
2006166281.tif 000005
【図４】
2006166281.tif 000006